(57)【要約】【課題】特別な情報を必要とせずに、表示される画像に合せて照明光の色を制御する。【解決手段】表示される画像に基づきカラー照明装置を制御する照明制御装置は、画像の画素のＲＧＢの階調値から、当該画像におけるＲＧＢそれぞれの階調値が占める比率を算出するＲＧＢ値算出部２０３と、ＲＧＢそれぞれの比率の組から、カラー照明装置の照射光の色を制御するパラメータ値を決定するための制御パラメータ決定部２０７と、を備える。【選択図】図３
2013218153.tif 000002
【特許請求の範囲】
【請求項１】
表示される画像に基づきカラー照明装置を制御する照明制御装置であって、
前記画像の画素のＲＧＢの階調値から、当該画像におけるＲＧＢそれぞれの階調値が占める比率を算出するＲＧＢ値算出部と、
前記ＲＧＢそれぞれの比率の組から、前記カラー照明装置の照射光の色を制御するパラメータ値を決定するためのパラメータ決定部と、を備える、照明制御装置。
【請求項２】
前記ＲＧＢ値算出部は、
表示時の前記画像における予め定めた部分画像の各画素のＲＧＢの階調値から、当該部分画像におけるＲＧＢそれぞれの階調値が占める比率を算出する、請求項１に記載の照明制御装置。
【請求項３】
前記カラー照明装置は、表示時の前記画像における前記予め定めた部分画像の位置に対応した位置に設置される、請求項２に記載の照明制御装置。
【請求項４】
前記カラー照明装置の色度値と、当該色度値を呈する光を照射させるための前記パラメータ値と関連付けた複数の組を予め登録する登録部を、さらに備え、
前記パラメータ決定部は、
算出された前記比率の組から、当該比率の組を呈する色の照明光の色度値を取得する色度値取得部と、
取得した前記色度値に基づき、前記登録部から当該色度値に関連付けされた前記パラメータ値を検索する検索部と、を含む、請求項１から３のいずれかに記載の照明制御装置。
【請求項５】
前記表示される画像の属性に基づき、当該画像に基づき前記カラー照明装置を制御するか否かを決定する、請求項１から４のいずれかに記載の照明制御装置。
【請求項６】
画面に画像を表示する表示装置と、
前記画面に表示される画像に基づきカラー照明装置を制御する照明制御装置とを備え、
前記照明制御装置は、
前記画像の画素のＲＧＢの階調値から、当該画像におけるＲＧＢそれぞれの階調値が占める比率を算出するＲＧＢ値算出部と、
前記ＲＧＢそれぞれの比率の組から、前記カラー照明装置の照射光の色を制御するパラメータ値を決定するためのパラメータ決定部と、を含む、制御システム。
【請求項７】
画面に画像を表示する表示装置と、
前記表示装置とともに設置されたカラー照明装置と、
前記画面に表示される画像に基づき前記カラー照明装置を制御する照明制御装置とを備え、
前記照明制御装置は、
前記画像の画素のＲＧＢの階調値から、当該画像におけるＲＧＢそれぞれの階調値が占める比率を算出するＲＧＢ値算出部と、
前記ＲＧＢそれぞれの比率の組から、前記カラー照明装置の照射光の色を制御するパラメータ値を決定するためのパラメータ決定部と、を含む、制御システム。
【請求項８】
表示される画像に基づき、プロセッサによりカラー照明装置を制御する照明制御方法であって、
前記プロセッサが、前記画像の画素のＲＧＢの階調値から、当該画像におけるＲＧＢそれぞれの階調値が占める比率を算出するステップと、
前記プロセッサが、前記ＲＧＢそれぞれの比率の組から、前記カラー照明装置の照射光の色を制御するパラメータ値を決定するステップと、を備える、照明制御方法。
【発明の詳細な説明】
【技術分野】
【０００１】
この発明は照明制御装置、制御システムおよび照明制御方法に関し、特に、映像を表示する際の照明光を制御するための照明制御装置、制御システムおよび照明制御方法に関する。
【背景技術】
【０００２】
たとえば、特許文献１には、映像信号再生時に、映像信号に含まれる撮影時の照明環境情報に基づいて照明装置を制御することにより、撮影時の照明環境を再現する方法が示される。
【先行技術文献】
【特許文献】
【０００３】
【特許文献１】特開２００５−３４１１２２号公報
【発明の概要】
【発明が解決しようとする課題】
【０００４】
特許文献１では、映像信号再生時に照明装置を制御する情報を入手するために、撮影時に照明環境情報を映像信号に含める必要があり、再生時にも映像信号と照明環境情報を分離する必要がある。そのため、通常の映像信号の処理とは別の処理工程が必要になる。
【０００５】
また、映像信号が撮影されたものではない場合、すなわちＣＧ（Computer Graphics）、アニメ（アニメーションの略）、特殊撮影映像などでは、撮影時の照明環境から、再生時のための色情報として意図したものが得られるとは限らない。
【０００６】
それゆえに本発明の目的は、特別な情報を必要とせずに、表示される画像に合せて照明光の色を制御することができる照明制御装置、制御システムおよび照明制御方法を提供することである。
【課題を解決するための手段】
【０００７】
この発明のある局面に従う、表示される画像に基づきカラー照明装置を制御する照明制御装置は、画像の画素のＲＧＢの階調値から、当該画像におけるＲＧＢそれぞれの階調値が占める比率を算出するＲＧＢ値算出部と、ＲＧＢそれぞれの比率の組から、カラー照明装置の照射光の色を制御するパラメータ値を決定するためのパラメータ決定部と、を備える。
【０００８】
好ましくは、上記のＲＧＢ値算出部は、表示時の画像における予め定めた部分画像の各画素のＲＧＢの階調値から、当該部分画像におけるＲＧＢそれぞれの階調値が占める比率を算出する。
【０００９】
好ましくは、カラー照明装置は、表示時の画像における予め定めた部分画像の位置に対応した位置に設置される。
【００１０】
好ましくは、照明制御装置は、カラー照明装置の色度値と、当該色度値を呈する光を照射させるためのパラメータ値と関連付けた複数の組を予め登録する登録部を、さらに備える。上記のパラメータ決定部は、算出された比率の組から、当該比率の組を呈する色の照明光の色度値を取得する色度値取得部と、取得した色度値に基づき、登録部から当該色度値に関連付けされた前記パラメータ値を検索する検索部と、を含む。
【００１１】
好ましくは、表示される画像の属性に基づき、当該画像に基づきカラー照明装置を制御するか否かを決定する。
【００１２】
この発明の他の局面に従う制御システムは、画面に画像を表示する表示装置と、画面に表示される画像に基づきカラー照明装置を制御する照明制御装置とを備える。照明制御装置は、画像の画素のＲＧＢの階調値から、当該画像におけるＲＧＢそれぞれの階調値が占める比率を算出するＲＧＢ値算出部と、ＲＧＢそれぞれの比率の組から、カラー照明装置の照射光の色を制御するパラメータ値を決定するためのパラメータ決定部と、を含む。
【００１３】
この発明のさらに他の局面に従う制御システムは、画面に画像を表示する表示装置と、表示装置とともに設置されたカラー照明装置と、画面に表示される画像に基づきカラー照明装置を制御する照明制御装置とを備える。照明制御装置は、画像の画素のＲＧＢの階調値から、当該画像におけるＲＧＢそれぞれの階調値が占める比率を算出するＲＧＢ値算出部と、ＲＧＢそれぞれの比率の組から、カラー照明装置の照射光の色を制御するパラメータ値を決定するためのパラメータ決定部と、を含む。
【００１４】
この発明のさらに他の局面に従う制御方法は、表示される画像に基づき、プロセッサによりカラー照明装置を制御する照明制御方法であって、プロセッサが、画像の画素のＲＧＢの階調値から、当該画像におけるＲＧＢそれぞれの階調値が占める比率を算出するステップと、プロセッサが、ＲＧＢそれぞれの比率の組から、カラー照明装置の照射光の色を制御するパラメータ値を決定するステップと、を備える。
【発明の効果】
【００１５】
本発明によれば、特別な情報を必要とせずに、表示される画像のＲＧＢ値から取得する情報に基づき照明光の色を制御することができる。
【図面の簡単な説明】
【００１６】
【図１】本発明の実施の形態に係る映像出力装置のブロック図である。
【図２】本発明の実施の形態に係る映像の視聴環境を説明するための図である。
【図３】本発明の実施の形態に係る機能ブロック図である。
【図４】本実施の形態に係るテーブルの構成例を示す図である。
【図５】本実施の形態に係る照明器とその周辺回路の概略構成図である。
【図６】本実施の形態に適用される色度図を示す図である。
【図７】本実施の形態に係る照明制御のためのフローチャートである。
【発明を実施するための形態】
【００１７】
以下この発明の実施の形態について図面を参照し説明する。図中同一符号は同一または相当部分を示し、その説明は繰返さない。
【００１８】
図１は、本発明の実施の形態に係る映像出力装置のブロック図である。図１を参照して、映像出力装置は、放送されるテレビジョン信号などを受信するための放送受信装置１０およびＤＶＤ（Digital Versatile Disc）、ＢＤ（blu-ray Disc）などの記録媒体から映像信号を読出す映像再生装置１１、映像を表示するための表示部３０、音声を出力するためのスピーカ１９、およびカラー照明である照明装置２２を制御するための照明制御装置３５を接続する。照明制御装置３５と照明装置２２は、有線または無線（たとえば、ZigBee（登録商標））により通信可能であるが、ここでは有線により接続されると想定する。
【００１９】
照明制御装置３５は、ＭＰＵ（Micro Processing Unit）２０、照明装置２２を制御するための照明制御部２１およびＲＡＭ（Random Access Memory）およびＲＯＭ（Read Only Memory）などからなり不揮発性記憶領域にテーブル２３１を格納するメモリ２３を含む。
【００２０】
ここでは、映像出力装置に与えられる信号は、デジタルの映像信号と音声信号とが多重化された信号である。
【００２１】
映像出力装置は、放送受信装置１０または映像再生装置１１から出力される信号を入力し雑音除去などをして出力する映像信号入力部１２、映像信号入力部１２からの入力信号に対して誤り訂正などの処理を施し、入力信号をデジタル映像信号とデジタル音声信号にそれぞれ分離して出力する映像信号処理回路１３、デコーダ１４、ならびにＤ／Ａ（デジタル／アナログ）変換器１５，１８を含む。
【００２２】
映像信号処理回路１３で分離された信号のうち、デジタル音声信号はＤ／Ａ変換器１８に与えられる。Ｄ／Ａ変換機１８は、デジタル音声信号をアナログ音声信号に変換し、変換後の信号をスピーカ１９に出力する。スピーカ１９は、アナログ音声信号により駆動されて、音声を出力する。
【００２３】
また、映像信号処理回路１３にて分離された信号のうち、デジタル映像信号はデコーダ１４に与えられる。デコーダ１４は、デジタル映像信号を圧縮解除（伸張）し、復号しＤ／Ａ変換器１５に出力する。Ｄ／Ａ変換機１５は、復号後の映像信号をアナログの映像信号に変換し、変換後の映像信号を表示部３０に出力する。表示部３０は、たとえばＴＶ（Television）の表示部であってデバイス駆動部１６および液晶ディスプレイである表示デバイス１７を含む。デバイス駆動部１６は、Ｄ／Ａ変換器１５からの映像信号に基づき、表示デバイス１７を駆動するための電気信号を生成し、生成した電気信号を用いて表示デバイス１７を駆動する。これにより、表示デバイス１７に映像が表示される。
【００２４】
デコーダ１４は、映像信号処理回路１３から与えられる映像信号を、同期信号を用いてフレーム単位の画像データに復号し、復号後のフレーム単位の画像データをＤ／Ａ変換器１５と照明制御装置３５とに出力する。
【００２５】
表示デバイス１７はフレーム単位の画像データに基づく画像を、予め定めた画面の更新周期に従って表示することにより映像を表示する。フレーム単位の画像データは、表示デバイス１７の１画面を構成する画素配列データに相当する。画素配列データの各画素値は、Ｒ，Ｇ，Ｂの階調値（０〜２５６階調値）の組を示す。デバイス駆動部１６は、入力する画像データの各画素値に基づく電圧信号を生成し、生成した電圧信号を液晶ディスプレイの当該画素に対応の電極に印加することにより、液晶ディスプレイを駆動する。これにより、表示デバイス１７において映像が表示される。
【００２６】
本実施の形態では、照明装置２２は、１または複数の照明器からなる。照明器は、Ｒ（赤）の光を発光するＬＥＤ（Light Emitting Diode）、Ｇ（緑）の光を発光するＬＥＤおよびＢ（青）の光を発光するＬＥＤからなる。ＬＥＤそれぞれは、照明制御部２１によりパルス状の信号が印加されることにより発光が制御される。
【００２７】
照明制御部２１は、ＰＷＭ（Pulse Width Modulation）制御部を有する。ＰＷＭ制御部は、ＭＰＵ２０からの制御パラメータに基づき、各照明器の各ＬＥＤに印加するパルス信号のパルス幅および周期（レート）を可変に変化させる。これにより各照明器の各ＬＥＤの発光量が制御されて、各照明器からの照射光の光量および色が可変に制御される。
【００２８】
このように、表示デバイス１７に表示される映像に同期して、照明装置２２からは、表示されている映像の色に合った色の照明光を照射することができる。
【００２９】
ここでは、照明装置２２の一例としてＲＧＢ３原色のＬＥＤを挙げるが、カラー蛍光灯などであってもよく、また、これらに限られるものではない。
【００３０】
図２は、本発明の実施の形態に係る映像の視聴環境を説明するための図である。図２において、部屋の中では、所定位置に表示部３０およびスピーカ１９が配置され、さらに照明装置２２を構成する複数の照明器２２Ａ〜２２Ｇが配置される。照明器２２Ａ〜２２Ｇのうち、照明器２２Ａ〜２２Ｃは天井に配置され、照明器２２Ｄ〜２２Ｇは床面に配置される。照明装置２２は、表示部３０の映像を視聴する部屋に、より特定的には表示部３０の映像をユーザが視聴する環境において設置されている。
【００３１】
図３は、本発明の実施の形態に係る機能ブロック図である。図示される各機能は、メモリ２３に予め格納されたプログラムであって、ＭＰＵ２０によりプログラムが読出されて実行されることで実現される機能を示す。なお、各機能はプログラムのみならず、プログラムと回路の組合せにより実現されるとしてもよい。
【００３２】
図３を参照して、ＭＰＵ２０は、デコーダ１４からの画像データを入力する画像受理部２０１、画像受理部２０１によって受理された画像データについてＲ，Ｇ，Ｂの各階調値の割合を算出するためのＲＧＢ値算出部２０３、および算出された値に基づき照明装置２２の発光を制御するためのパラメータ値を決定する制御パラメータ決定部２０７を含む。制御パラメータ決定部２０７は、パラメータ値を決定するために、メモリ２３に予め格納されたテーブル２３１を検索するための検索部２０９を含む。ここでは、パラメータ値は、ＰＷＭ制御のためのパラメータ値であって、上記のパルス幅と周期を示す値である。
【００３３】
図４は、本実施の形態に係るテーブル２３１の構成例を示す図である。テーブル２３１は、予め実験などにより取得されるデータが登録されるデータ登録部に相当する。図４の（Ａ）を参照してテーブル２３１は、比率Ｒ（ｉ），比率Ｇ（ｉ），および比率Ｂ（ｉ）（但し、ｉ＝１、２，３、…）の組と、各組に対応して、照明光の色を示すデータＣｉとＰＷＭ制御のための制御パラメータ値Ｐ１（ｉ），Ｐ２（ｉ）とが関連付けて格納される。
【００３４】
比率Ｒ（ｉ）は、（（１フレームの画像データの全画素のＲの階調値のトータル値）／１フレームの画像データの全画素のＲ，Ｇ，Ｂの階調値のトータル値）を示す。同様に、比率Ｇ（ｉ）は、（（１フレームの画像データの全画素のＧの階調値のトータル値）／１フレームの画像データの全画素のＲ，Ｇ，Ｂの階調値のトータル値）を示す。同様に、比率Ｂ（ｉ）は、（（１フレームの画像データの全画素のＢの階調値のトータル値）／１フレームの画像データの全画素のＲ，Ｇ，Ｂの階調値のトータル値）を示す。
【００３５】
パラメータ値Ｐ１（ｉ），Ｐ２（ｉ）それぞれは、ＲＧＢのＬＥＤそれぞれに印加するパルス信号を制御するためのパラメータ値の組を含む。ここでは、パラメータ値Ｐ１（ｉ）は、ＲＧＢのＬＥＤそれぞれに対応してパラメータ値Ｐ１Ｒ（ｉ），Ｐ１Ｇ（ｉ），Ｐ１Ｂ（ｉ）を含み、ここでは、パラメータ値Ｐ２（ｉ）は、ＲＧＢのＬＥＤそれぞれに対応してパラメータ値Ｐ２Ｒ（ｉ），Ｐ２Ｇ（ｉ），Ｐ２Ｂ（ｉ）を含む。
【００３６】
図４の（Ａ）のテーブル２３１のデータは、予め実験により取得される。図４の（Ｂ）に、テーブル２３１の他の例であって、後述の図６の色度図に基づいたテーブル２３１を示すが、詳細は後述する。
【００３７】
ここで、照明装置２２を構成する照明器２２Ａ〜２２Ｇについて説明する。図５は、本実施の形態に係る照明器とその周辺回路の概略構成図である。照明器２２Ａ〜２２Ｇは同じ構成を有するので、代表して照明器２２Ａの構成を示す。図５を参照して、照明器２２Ａは、赤（Ｒ）色、緑（Ｇ）色および青（Ｂ）色の光を発光するＬＥＤ３５〜３７が並列に接続される。並列接続に与えられる供給電圧は、昇圧回路３４により電源部（図示せず）からの電圧が所定レベルにまで昇圧されたものであり、並列接続されたＬＥＤ３５〜３７のそれぞれには一端から一定レベルの電流が順方向に供給される。
【００３８】
ＬＥＤ３５〜３７のそれぞれの他端には、ＰＷＭ制御部に相当するＰＷＭ回路３８〜４０がそれぞれ接続されて、ＭＰＵ２０から他端に印加されるパルス信号４１〜４３のそれぞれのパルス幅および周期はＰＷＭ回路３８〜４０のそれぞれにより可変調整される。つまり、ＰＷＭ回路３８〜４０のそれぞれは、パラメータ値Ｐ１Ｒ（ｉ），Ｐ１Ｇ（ｉ），Ｐ１Ｂ（ｉ）およびパラメータ値Ｐ２Ｒ（ｉ），Ｐ２Ｇ（ｉ），Ｐ２Ｂ（ｉ）に基づきパルス信号４１〜４３のそれぞれのパルス幅および周期を可変に制御する。その結果、ＬＥＤ３５〜３７による赤色、緑色および青色の発光量を印加パルス幅・周期で調整することができる。
【００３９】
図７は、本実施の形態に係る照明制御のためのフローチャートである。このフローチャートに従うプログラムは、メモリ２３に予め格納されて、ＭＰＵ２０がプログラムを読出し実行することにより処理が実現される。図７を参照して、表示部３０の表示映像に同期して、照明装置２２を制御する処理を説明する。なお、ここでは、メモリ２３には図４の（Ａ）のテーブル２３１が格納されていると想定する。
【００４０】
まず、画像受理部２０１は、デコーダ１４からフレーム単位の画像データを入力し、入力した順番に従って、画像データをＲＧＢ値算出部２０３に出力する（ステップＳ３）。また、デコーダ１４からの画像データは入力順に表示部３０に出力される。表示部３０では、入力順に従うフレーム単位の画像データを画面の更新周期に従って連続的に表示することで、映像を表示する。
【００４１】
ＲＧＢ値算出部２０３は、入力するフレーム単位の画像データから、各画素に対応のＲ，Ｇ，Ｂの階調値を取得し、階調値のトータル値を算出し、上述した比率Ｒ（ｉ）、Ｇ（ｉ）およびＢ（ｉ）を算出する（ステップＳ５）。
【００４２】
制御パラメータ決定部２０７は、算出された比率Ｒ（ｉ）、Ｇ（ｉ）およびＢ（ｉ）の組からＰＷＭ制御のための制御パラメータを決定する。具体的には、検索部２０９は、比率Ｒ（ｉ）、Ｇ（ｉ）およびＢ（ｉ）の組に基づきメモリ２３のテーブル２３１を検索し、当該組に関連付けされているパラメータ値Ｐ１（ｉ），Ｐ２（ｉ）を読出す（ステップＳ９）。
【００４３】
決定されたパラメータ値Ｐ１（ｉ），Ｐ２（ｉ）は、照明制御部２１に出力される（ステップＳ１１）。照明制御部２１は、図５で説明したように、パラメータ値Ｐ１（ｉ），Ｐ２（ｉ）に従うパルス幅および周期のパルス状の信号を生成して、照明装置２２の照明器２２Ａ〜２２Ｇに印加する。照明器２２Ａ〜２２Ｇからは、表示部３０の表示中の画像の色に合った色の照明光が照射されて、照射光の色は画面の表示画像の色の変化に追従して変化する。
【００４４】
これにより、照明装置２２から、画面に映し出される映像を処理して取得した情報に基づき、表示映像に主要な色と同じ色の照明を調光して発光させることができる。したがって、表示部３０の表示画像の色の変化が、画面だけではなく視聴している部屋全体に広がり、映像と視聴環境の一体感が高まることによって、視聴者の臨場感が更にます。また、この効果は、画面に映し出される映像を処理して取得した情報に基づくから、映像信号入力部１２が受理する映像の種類（ＣＧ、アニメーション、特殊撮影など）に依存せずに奏される効果である。
【００４５】
なお、ここでは、照明制御部２１がパルス信号を生成し照明装置２２に送信するとしているが、パルス信号を生成する機能を照明装置２２が備えるようにしてもよい。その場合には、ＭＰＵ２０が決定したパラメータ値Ｐ１（ｉ）およびＰ２（ｉ）は照明装置２２に出力されて、照明装置２２はパラメータ値Ｐ１（ｉ）およびＰ２（ｉ）からパルス信号を生成し、各ＬＥＤに印加するとしてもよい。
【００４６】
本実施の形態では、全画像データから比率Ｒ（ｉ）、Ｇ（ｉ）およびＢ（ｉ）の組を取得したが、画像データの一部の部分画像について比率Ｒ（ｉ）、Ｇ（ｉ）およびＢ（ｉ）の組を取得するとしてもよい。
【００４７】
また、本実施の形態では、表示部３０はＴＶに相当するとし、映像はＴＶ画面で表示されるとしているが、これに限定されるものではなく、たとえば表示部３０はプロジェクタであって、映像はプロジェクタによりスクリーンに投影されるとしてもよい。
【００４８】
（テーブル２３１の変形例）
上述したテーブル２３１は、比率Ｒ（ｉ）、Ｇ（ｉ）およびＢ（ｉ）の組からパラメータ値Ｐ１（ｉ），Ｐ２（ｉ）を決定したが、これに限定されず、照明装置２２について計測した色度値からパラメータ値Ｐ１（ｉ），Ｐ２（ｉ）を決定するようにしてもよい。
【００４９】
図４の（Ｂ）のテーブル２３１には、照明光の色度値とＲＧＢの値の相関関係に基づき、照明光の色度値（Ｘ（ｉ），Ｙ（ｉ））と、照明光の色を示すデータＣｉと、照明制御部２１に与えるＰＷＭ制御のためのパラメータ値Ｐ１（ｉ），Ｐ２（ｉ）とが関連付けて格納される。パラメータ値Ｐ１（ｉ），Ｐ２（ｉ）それぞれは、上述したようにＲＧＢのＬＥＤそれぞれに印加するパルス信号を制御するためのパラメータ値の組を含む。図４の（Ｂ）のテーブル２３１のデータは、予め実験により取得される。
【００５０】
ここで、照明装置２２の照明光の色度値とＲＧＢ値の相関関係について説明する。図６は、本実施の形態に適用される色度図を示す図である。この色度図は、実験により、照明装置２２から、標準白色板に向けてＲＧＢそれぞれの照明の強さを２５６レベルに分けて照射させ、その際の色度値（Ｘ，Ｙ，Ｚ）を図示しない色彩計で測定した場合に取得される。色度値（Ｘ，Ｙ，Ｚ）と、この色度値が取得されたときに印加されているパルス信号を生成するパラメータ値Ｐ１（ｉ），Ｐ２（ｉ）とを関連付けてメモリ２３に格納することにより、図４の（Ｂ）のテーブル２３１が生成される。
【００５１】
図６では、照明用光の色の範囲が、表示部３０などの現在のテレビジョンで再現できる色の範囲よりも広く設定されている。制御パラメータ決定部２０７は色度値取得部を有する。この色度値取得部は、本実施の形態では、次の（式１）の行列（マトリックス）変換を用いて、上述の比率Ｒ（ｉ）、Ｇ（ｉ）およびＢ（ｉ）から色度値（Ｘ，Ｙ，Ｚ）を算出する。
【００５２】
【数１】
2013218153.tif 000003
【００５３】
なお、ＲＧＢからＸＹＺへの変換は（式１）を用いた算出によらず、予め（式１）に従い算出した値を格納したＲＧＢ−ｘｙｚ変換テーブルを作成してメモリ２３に格納しておき、これを比率Ｒ（ｉ）、Ｇ（ｉ）およびＢ（ｉ）の組に基づき検索することにより色度値（Ｘ，Ｙ，Ｚ）を取得するとしてもよい。
【００５４】
したがって、上記のステップＳ９では、制御パラメータ決定部２０７は、比率Ｒ（ｉ）、Ｇ（ｉ）およびＢ（ｉ）を用いて（式１）に従って色度値（Ｘ（ｉ）、Ｙ（ｉ））を算出し、算出した色度値（Ｘ（ｉ）、Ｙ（ｉ））に基づき検索部２０９が図４の（Ｂ）のテーブル２３１を検索することにより、関連付けされたパラメータ値Ｐ１（ｉ），Ｐ２（ｉ）の組を読出すことができる。
【００５５】
（照明装置制御の第１の変形例）
上述した実施の形態では、照明装置２２の照明器２２Ａ〜２２Ｇに含まれるＲＧＢのＬＥＤそれぞれを、同じパラメータ値を用いて制御することにより、全ての照明器から同じ色の光を照射するとしたが、表示される画像の部位に応じて各照明器からの照射光の色を異ならせるようにしてもよい。
【００５６】
本実施の形態に係るフレーム単位の画像データはｘ、ｙの２次元画素配列データを示す。具体的には、矩形状の平面画像を左上端から右下端まで水平に順に走査して得られる全ての画素のＲＧＢ階調値を、画素座標（ｘ，ｙ）により指示される配列データを示す。画素座標（ｘ，ｙ）の値に従って、液晶ディスプレイの当該画素に対応の電極に印加する電圧信号が制御される。
【００５７】
したがって、表示デバイス１７のディスプレイにおける部位と、画像データにおける当該部位に表示される部分データを画素座標（ｘ，ｙ）により指定することができる。たとえば、ディスプレイの上部領域または下部領域に表示される部分データの画素座標（ｘ，ｙ）を予め指定することができる。
【００５８】
ここでは、照明制御部２１は各照明器に信号を出力するための各照明器対応の出力端子を備える。照明制御部２１は、ＭＰＵ２０からパラメータ値と出力端子を識別する識別子との組を受理し、当該パラメータ値に基づき生成したパルス信号を、当該識別子が指示する出力端子を介して出力する。これにより、各照明器に対応してパルス信号を出力することができる。
【００５９】
動作において、照明制御装置３５にデコーダ１４から画像データが与えられると、ＭＰＵ２０は、画像データの中から、予め指定された画素座標（ｘ，ｙ）の部分データを抽出する。この部分データは、ディスプレイの上部領域または下部領域に表示される部分の画像データを示す。なお、部分データの画素座標（ｘ，ｙ）を指定するための情報は、予めメモリ２３に格納されていると想定する。
【００６０】
ＭＰＵ２０は、ディスプレイの上部領域に対応の部分データを抽出すると想定する。その場合、抽出した部分データについて、当該部分の各画素に対応のＲ，Ｇ，Ｂの階調値を取得し、階調値のトータル値を算出し、当該部分について上述した比率Ｒ（ｉ）、Ｇ（ｉ）およびＢ（ｉ）を算出する。算出した比率Ｒ（ｉ）、Ｇ（ｉ）およびＢ（ｉ）の組に基づき、テーブル２３１を検索して、関連付けされた制御パラメータ値Ｐ１（ｉ），Ｐ２（ｉ）を読出す。
【００６１】
照明制御部２１は、取得された制御パラメータＰ１（ｉ）とＰ２（ｉ）に基づきＲＧＢの各ＬＥＤに印加するパルス信号を生成し、照明装置２２のうちディスプレイの上部領域に対応の照明器、すなわち天井の照明器２２Ａ〜２２Ｃに対し当該パルス信号を印加する。
【００６２】
これにより、照明装置２２から、画面の上部に映し出される映像に主要な色と同じ色の照明を、当該上部に対応した位置に設置された照明器、すなわち天井側の照明器２２Ａ〜２２Ｃから発光させることができる。なお、他の照明器２２Ｄ〜２２Ｇは消灯していてもよく、または標準色（たとえば、白色、昼光色など）の光を照射するように制御してもよい。
【００６３】
また、ＭＰＵ２０は、ディスプレイの下部領域に対応の部分データを抽出すると想定する場合には、上述と同様にして、照明装置２２から、画面の下部に映し出される映像に主要な色と同じ色の照明を、該下部に対応した位置に設置された照明器、すなわち床面側の照明器２２Ｄ〜２２Ｇから発光させることができる。また、画面の上部に映し出される映像に主要な色と同じ色の照明光を天井側の照明器２２Ａ〜２２Ｃから発光させるのと同時に、画面の下部に映し出される映像に主要な色と同じ色の照明光を床面側の照明器２２Ｄ〜２２Ｇから発光させるようにしてもよい。
【００６４】
なお、予めメモリ２３に格納される部分データの画素座標（ｘ，ｙ）を指定するための情報は、可変に変更することができて、たとえば、ユーザからの外部指示を受け付けて、受付けたユーザ指示に基づき当該情報を変更するとしてもよい。
【００６５】
（照明制御装置の第２の変形例）
照明制御装置３５は、表示部３０に表示される映像の属性に従って、照明装置２２を制御するか否かを切替えるようにしてもよい。属性として、たとえば映像が属するジャンルを挙げる。
【００６６】
ＭＰＵ２０は、表示される映像のジャンル別（スポーツ、ドラマ、アニメ、映画、ニュース・報道、ドキュメンタリ、教育・教養、バラエティ、コマーシャル、ＴＶショッピングの種類など）に照明装置２２を制御するか否か決定するようにしてもよい。たとえば、ドラマ、アニメ、映画、教育・教養、コマーシャルの映像が表示される場合には、上述したように照明装置２２からの照射光を表示映像に合うように可変に変更するが、それ以外のジャンルの映像が表示される場合には、照明装置２２の照射光の映像に合わせた制御をＯＦＦするようにしてもよい。
【００６７】
なお、表示映像のジャンルは、放送受信装置１０が受信する放送番組であれば、放送番組とともに送信されるＥＰＧ（電子番組ガイド）情報から取得することができる。また、映像再生装置１１によりＤＶＤなどの記録媒体から再生される映像であれば、記録媒体からの再生情報から取得することができる。また、ＭＰＵ２０は、ユーザからの外部指示を受付け、受付けたユーザ指示に基づき表示される映像のジャンルを取得するとしてもよい。
【００６８】
また、属性としてジャンルを挙げたが、映像の特徴であってもよい。アクション系のアニメなどのように、表示される映像の色変化が頻繁であるとの特徴を有する場合には、それに合わせて照明光の色を変化させるとすれば、かえって映像がみにくくなるなどの支障をきたすことが想定される。これを回避するために、ＭＰＵ２０は単位期間当たりの複数フレームについて、当該期間の最初のフレームの比率Ｒ（ｉ）、Ｇ（ｉ）およびＢ（ｉ）と最後のフレームの比率Ｒ（ｉ）、Ｇ（ｉ）およびＢ（ｉ）の差分が、予め定めた閾値以下であれば照明装置２２の照射光の色制御をするが、閾値よりも大きいと判定した場合には、すなわち表示される映像の色変化が頻繁である場合には照明装置２２の照射光の色制御はしない（ＯＦＦ）としてもよい。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１０  放送受信装置、１１  映像再生装置、１２  映像信号入力部、１３  映像信号処理回路、１４  デコーダ、１６  デバイス駆動部、１７  表示デバイス、１９  スピーカ、２１  照明制御部、２２  照明装置、２２Ａ〜２２Ｇ  照明器、２３  メモリ、３０  表示部、３５  照明制御装置、２０１  画像受理部、２０３  ＲＧＢ値算出部、２０７  制御パラメータ決定部、２０９  検索部、２３１  テーブル。
【図１】
2013218153.tif 000004
【図２】
2013218153.tif 000005
【図３】
2013218153.tif 000006
【図４】
2013218153.tif 000007
【図５】
2013218153.tif 000008
【図６】
2013218153.tif 000009
【図７】
2013218153.tif 000010